(57)【要約】本発明は、識別装置の可読性に影響を与えることなく１つの色を用いてオンエア信号を表示する、少なくとも２つの色を有するカメラ用識別装置を提供する。カメラ用識別装置は、カメラ識別子を表示する手段（２０）と、少なくとも２つの別個の色でカメラ識別子を発光させる照明手段（２１）を含む。本発明は更に、少なくとも１つの識別装置を含むカメラビューファインダ及びカメラに関する。
2004521549.tif 000002
【特許請求の範囲】
【請求項１】
カメラ識別子を表示する手段を含むカメラ用の識別装置であって、
少なくとも２つの別個の色で、上記カメラ識別子を発光させる照明手段を含み、
上記少なくとも２つの別個の色のうち１つの色は、上記カメラがオンエア中であるときに用いられることを特徴とする装置。
【請求項２】
ビューファインダの少なくとも１つの外面上にカメラ識別子を表示する手段を含む少なくとも１つの識別装置を有するカメラビューファインダであって、
上記識別装置は、少なくとも２つの別個の色で、上記カメラ識別子を発光させる照明手段を含み、
上記少なくとも２つの別個の色のうち１つの色は、上記カメラがオンエア中であるときに用いられることを特徴とするカメラビューファインダ。
【請求項３】
３つの識別装置を含み、
第１の識別装置は、上記カメラの被写体の方向に対応する１つの面に置かれ、第２の識別装置及び第３の識別装置は、上記カメラの側面に対応する２つの対向する面に置かれることを特徴とする請求項２記載のビューファインダ。
【請求項４】
カメラ識別子を表示する手段を含む少なくとも１つの識別装置を有するカメラであって、
上記識別装置は、少なくとも２つの別個の色で、上記カメラ識別子を発光させる照明手段を含み、
上記少なくとも２つの別個の色のうち１つの色は、上記カメラがオンエア中であるときに用いられることを特徴とするカメラ。
【請求項５】
上記識別装置は、上記カメラのビューファインダに置かれることを特徴とする請求項４記載のカメラ。
【請求項６】
３つの別個の側面に少なくとも３つの識別装置を含むことを特徴とする請求項４又は５記載のカメラ。
【請求項７】
上記照明手段は、発光ダイオードから構成されることを特徴とする請求項１記載の装置、請求項２若しくは３記載のビューファインダ、又は、請求項４乃至６のうちいずれか一項記載のカメラ。
【請求項８】
上記カメラ識別子を表示する手段は、上記照明手段によって背面照明される液晶画面であることを特徴とする請求項７記載の装置、ビューファインダ、又は、カメラ。
【請求項９】
上記発光ダイオードは、上記カメラがオンエア中であるときには、より明るく発光することを特徴とする請求項７記載の装置、ビューファインダ、又は、カメラ。
【請求項１０】
上記カメラがオンエア中であるときに用いられる色は、赤であることを特徴とする請求項１記載の装置、請求項２若しくは３記載のビューファインダ、又は、請求項４乃至６のうちいずれか一項記載のカメラ。
【請求項１１】
上記カメラ識別子を表示する手段は、上記カメラを遠隔制御するための装置を用いて、遠隔制御されることを特徴とする請求項１記載の装置、請求項２若しくは３記載のビューファインダ、又は、請求項４乃至６のうちいずれか一項記載のカメラ。
【発明の詳細な説明】
【０００１】
本発明は、カメラの番号表示装置に係る。このような識別装置は、特に、職業用カメラ又はそれらのビューファインダ上に見出される。
【０００２】
テレビ放送番組を制作するとき、幾つかの異なる角度からシーンを捕捉するために複数のカメラを用いることが知られている。カメラの台数は、放送番組の種類に応じて変わる。スタジオでは、３台から８台、また、時としてそれ以上の台数のカメラが一般的に用いられる。スポーツイベント又はコンサートでは、１６台のカメラが同時に用いられる場合がある。
【０００３】
図１は、テレビスタジオを示す。複数のカメラ１が、様々なカメラの色及び輝度を統一させる制御コンソール２に接続される。制御コンソール２は、様々なカメラからの信号を、制御室３に送る。ディレクターは、１人以上のアシスタントと共に、制御室の制御部にいる。他のアシスタントディレクターは、カメラの付近にいて、カメラの視野以外で起きている事柄に関する情報をディレクターに伝え、それにより、ディレクターが可能なカメラの動作を決定することができるようにする。カメラは、ディレクターによって与えられる指示に従って、カメラマンによって動かされる。
【０００４】
放送番組全体は、ディレクター及びアシスタントディレクター次第である。アシスタントが、ディレクターによい推薦を与えることができるよう、アシスタントは何時でも自分の視野にあるカメラを識別することができることが必要である。更に、アシスタントは、放送番組が生番組である場合、又は、生番組に近い状態で撮影される場合、どのカメラがオンエア中であるかを知らなければならない。放送番組の司会者も、どのカメラが自分たちを撮っているのかを知るためにオンエア中のカメラを識別できなければならない。
【０００５】
そのために、カメラ１には、例えば、図２に示すような識別装置４とオンエア指示ライト５が設けられる。識別装置４は、例えば、数字又は文字である識別子を表示することを可能にする。一般的に、識別装置は、高いところ、特に、カメラ１のビューファインダ６上に置かれる。時に、バックライトで明るくされる接着物や、機械的なマーキング装置を用いることが知られている。オンエア指示ライト５は、カメラの前面及び／又はカメラの上方、また、時として、ビューファインダ６の上に置かれる。
【０００６】
オンエア指示ライトが、カメラの前面のみに置かれる場合、カメラの背後にいる人は、その指示ライトを直接見ることができない。しかし、カメラの背後にいる人は、サウンドブーム又は他のアクセサリといった近くに置かれるアクセサリによって反射される光によって判断する。しかし、２つのカメラが並んである場合、また、オンエア指示ライトが直接見えない場合、どのカメラがオンエア中であるか判断することができない。可視性の問題を解決するために、指示ライトをカメラの上方に置くことが知られている。
【０００７】
カメラの上方に置かれる指示ライトを用いる場合、一般的に、ほとんど光らないか、又は、全く光らない識別装置との可視性の問題が生じる。これはなぜなら、薄明かりのスタジオ内にカメラがあるとき、オンエア指示ライトは、アシスタントの目をくらませ、アシスタントが、ほとんど光らない又は全く光らないカメラの識別装置を見ることを阻止するからである。
【０００８】
本発明は、オンエア指示ライトとカメラ識別の同時可視性に関する上述した問題を解決することを目的とする。本発明は、識別装置の可読性に影響を与えることなく１つの色を用いてオンエア信号を表示する、少なくとも２つの色を有するカメラ用識別装置を用いることを提案する。
【０００９】
第１の面によると、本発明は、カメラ識別子を表示する手段を含むカメラ用の識別装置である。本発明の識別装置は、少なくとも２つの別個の色でカメラ識別子を発光させる照明手段を含み、２つの別個の色のうち１つの色は、カメラがオンエア中であるときに用いられる。
【００１０】
第２の面によると、本発明は、ビューファインダの少なくとも１つの外面上にカメラ識別子を表示する手段を含む少なくとも１つ識別装置を有するカメラビューファインダである。識別装置は、少なくとも２つの別個の色でカメラ識別子を発光させる照明手段を含み、２つの別個の色のうち１つの色は、カメラがオンエア中であるときに用いられる。
【００１１】
第３の面によると、本発明は、カメラ識別子を表示する手段を含む少なくとも１つの識別装置を有するカメラである。識別装置は、少なくとも２つの別個の色でカメラ識別子を発光させる照明手段を含み、２つの別個の色のうち１つの色は、カメラがオンエア中であるときに用いられる。
【００１２】
カメラの識別子の可視性を、特に、司会者に対し、向上するために、３つの識別装置が用いられる。第１の装置は、カメラの被写体の方向に対応する面に置かれる。第２の装置及び第３の装置は、カメラの側面に対応する２つの対向する面に置かれる。第１の装置は、司会者が、オンエアでないカメラを識別することを可能にし、このことは、カメラの切替わりを予想することを可能にする。
【００１３】
放送番組時のカメラの使用及び相互交換性の自由度を向上するために、識別子を表示する手段は、カメラを遠隔制御するための装置を用いて、遠隔から制御される。従って、カメラの番号を、制御室から変更することが可能である。
【００１４】
以下の説明を読むことにより本発明をより理解し、及び、他の特徴及び利点は明らかとなろう。以下の説明は、添付図面を参照する。
【００１５】
２つの色で発光する識別装置を作成するために、非常に多くの可能性が提供される。
【００１６】
図３に示す第１の実施例は、２色発光ダイオード１０システムを示す。２色ダイオードは、実際には、頭−尾（ｈｅａｄ−ｔｏ−ｔａｉｌ）で取付けられた、異なる色を有する２つのダイオードから構成される。これらは、電流バイアスに応じて異なる色で発光する。ダイオード１０は、１桁の数字を形成する７つの線形アレイ１１にまとめられる。同じ線形アレイ１１のダイオード１０は、並列接続されて、全てのダイオードが所与のバイアスに対し同じ色で発光するようにされる。各線形アレイ１１は、３つの制御信号に応じて、ダイオード１０に、１つの方向又はもう１つの方向でバイアスをかける制御装置１２に接続される。
【００１７】
制御信号は、カメラ１の制御回路１３から生成される。制御回路１３は、制御コンソール２の遠隔制御装置８から様々な情報を受信する。本発明によると、遠隔制御装置８は、特に、オンエア情報、及び、カメラ１の識別コードを送信する。この情報は、カメラの遠隔制御に関する他の制御情報全てと共にカメラに定期的に送信される。制御回路１３は、受信した全ての情報を復号化し、その情報を格納し、そして、その情報をカメラの様々な回路に送信する。制御回路１３は、オンエア信号と、最後に受信した情報に対応する番号（識別コードが番号に対応する場合）を連続的に供給する。
【００１８】
デコーダ１４は、番号を、７つの照明信号に変換する。各制御装置１２に対し１つの照明信号が与えられる。各照明信号は、制御回路１２に対応するセグメント１１が、点灯しなければならないのか又は消灯しなければならないのかを示す。
【００１９】
インバータ１５は、オンエア信号を受信し、補完信号を供給する。オンエア信号及び補完信号は、全ての制御回路１２に供給され、各制御装置に、ダイオードが点灯しなければならない場合に、ダイオード１０に与えられるべきバイアスの方向を指示する。
【００２０】
図３に、制御回路１２の詳細を示す。照明信号が非アクティブであるとき（例えば、論理レベル「１」であるとき）、トランジスタ１６及び１７はオフにされ、その制御回路１２に関連付けられるダイオード１０には電流が流れない。オンエア信号がアクティブであるとき（例えば、論理レベル「０」であるとき）、オンエア信号に応じて、トランジスタ１６又は１７の一方のみがオンにされる。オンエア信号がアクティブ（論理レベル「０」）であるとき、トランジスタ１６がオンにされ、電流が、抵抗１９、ダイオード１０、及び、トランジスタ１６を介して、供給電圧から接地に流れるようにされる。オンエア信号が非アクティブ（論理レベル「１」）であるとき、トランジスタ１７がオンにされ、電流が、抵抗１８、ダイオード１０、及び、トランジスタ１７を介して、供給電圧から接地に流れるようにされる。
【００２１】
カメラがオンエアであるときに、ダイオードの輝度を増加するために、抵抗１８及び１９は、ダイオードを流れる電流の方向がオンエア信号に関連付けられる色に対応するときに、電流が大きくなるような寸法にされる。色を変化することにより輝度を増加することは、カメラがオンエアであるときの識別装置の顕著的性質を強化する。更に、セット技術者の習慣を変えないために、オンエア信号に関連付けられる色は、例えば、緑のような他の色より明るくない赤であることが好適である。
【００２２】
識別装置を形成するために他の変形も可能である。図４及び図５は、図３の装置より消費する電力が少ないという利点を有する、ダイオードに支援されるバックライト式液晶を用いる第２の実施例を示す。２色タイプのダイオード２１の前方に、透過型であり、且つ、それぞれ７つのセグメントからなる２桁の数字を示す液晶ディスプレイ２０が置かれる。ディスプレイ２０の１つの特性は、透明に形成される面全体に光を拡散することであるので、前の実施例のように多くのダイオードを用いる必要がない。ダイオードは、最大の輝度を供給するようディスプレイ２０の透明セグメント内に置かれることが好適である。
【００２３】
前の実施例と同様に、カメラの制御回路１３は、オンエア信号と、カメラを識別する番号を供給する。用いられるディスプレイに固有の駆動回路２２は、番号を受信し、その番号を、ディスプレイ２０用の制御信号に変換して、それにより、所望の番号を形成するようセグメントを透明にする。制御回路２３は、オンエア信号を受信し、オンエア信号の状態に応じてダイオード２１に、１つの方向又はもう１つの方向でバイアスをかける。
【００２４】
赤のダイオードと緑のダイオードを用いて、カメラがオンエアであるときに赤を点灯することが好適である。更に、制御回路２３は、ダイオードが赤に設定されるときに、高い電流を流し得る。
【００２５】
本発明の目的である識別装置を形成する他の変形が可能である。重要なことは、表示装置が、カメラがオンエアであるときに所与の色で、また、カメラがオンエアでないときに別の色でカメラ識別子を見ることを可能にする点である。ダイオード以外にもバックライト手段を用いることも特に可能である。
【００２６】
従って、識別装置は非常に見易くなるので、識別装置を、カメラに対し高いところ、特に、ビューファインダ６上に置くことが好適である。少なくとも２７０°の角度から識別装置が見えるようになるには、図６に示すように、３つの識別装置３０乃至３２を置くことが提案され、第１の装置３０は、カメラ１の被写体の方向に対応するビューファインダ６の１つの面に置かれる。第２の装置３１及び第２の装置３２は、カメラ１の側面に対応するビューファインダ６の２つの対向する面に置かれる。
【００２７】
当然のことながら、３つの装置を用いることは、最大のマーキングに対応する。費用を下げるためには、カメラの前面に置かれる装置３０を１つのオンエア指示ライトに置き換えることも可能であり、というのは、一般的に、アシスタントディレクターは、カメラの背後にいるからである。
【図面の簡単な説明】
【００２８】
【図１】テレビジョンスタジオを示す図である。
【図２】従来技術のカメラを示す図である。
【図３】本発明のカメラ識別装置の第１の実施例を示す図である。
【図４】本発明の識別装置の第２の実施例を示す図である。
【図５】本発明の識別装置の第２の実施例を示す図である。
【図６】本発明のカメラビューファインダを示す図である。
【図３】
2004521549.tif 000003
【図５】
2004521549.tif 000004
【国際公開パンフレット】
2004521549.tif 000005
2004521549.tif 000006
2004521549.tif 000007
2004521549.tif 000008
2004521549.tif 000009
2004521549.tif 000010
2004521549.tif 000011
2004521549.tif 000012
2004521549.tif 000013
2004521549.tif 000014
2004521549.tif 000015
2004521549.tif 000016
2004521549.tif 000017
2004521549.tif 000018
【国際公開パンフレット（コレクトバージョン）】
2004521549.tif 000019
2004521549.tif 000020
【国際調査報告】
2004521549.tif 000021
2004521549.tif 000022